【手続補正書】
【提出日】平成27年5月25日(2015.5.25)
【手続補正１】
【補正対象書類名】明細書
【補正対象項目名】００１７
【補正方法】変更
【補正の内容】
【００１７】
上記目的を達成するための第１の発明は、電子帳票を生成する帳票生成装置であって、
前記電子帳票を生成するための帳票データを受付ける帳票データ受付手段と、前記帳票データ受付手段によって受付けた帳票データを世代に関わる情報とともに記憶する帳票データ記憶手段と、元の電子帳票から新たな電子帳票を生成する際に用いられる過去の世代数を含む生成条件の設定を受付ける生成条件受付手段と、前記生成条件受付手段によって受付けた生成条件を記憶する生成条件記憶手段と、前記帳票データ受付手段によって受付けた新たな世代の帳票データが前記帳票データ記憶手段によって記憶されると、前記新たな世代から前記生成条件記憶手段によって記憶した過去の世代数前の帳票データについて、前記帳票データ記憶手段に記憶された帳票データを取得して前記新たな電子帳票を生成する新帳票生成手段と、を備えたことを特徴とする帳票生成装置である。
【手続補正２】
【補正対象書類名】明細書
【補正対象項目名】００１８
【補正方法】変更
【補正の内容】
【００１８】
上記目的を達成するための第２の発明は、クライアント装置と電子帳票を生成する帳票生成装置とがネットワークを介して接続された帳票生成システムであって、前記クライアント装置は、元の電子帳票から新たな電子帳票を生成するための生成条件であって、当該新たな電子帳票に表示する過去の世代数を含む生成条件の設定を受付ける生成条件受付手段と、前記帳票生成装置の新帳票生成手段によって生成された新たな電子帳票を表示部へ表示する表示手段と、を備え、前記帳票生成装置は、前記電子帳票を生成するための帳票データを受付ける帳票データ受付手段と、前記帳票データ受付手段によって受付けた帳票データを世代ごとに記憶する帳票データ記憶手段と、前記生成条件受付手段によって受付けた生成条件を記憶する生成条件記憶手段と、前記帳票データ受付手段によって受付けた新たな世代の帳票データが前記帳票データ記憶手段によって記憶されると、前記新たな世代から前記生成条件記憶手段によって記憶した過去の世代数前の帳票データについて、前記帳票データ記憶手段に記憶された帳票データを取得して前記新たな電子帳票を生成する新帳票生成手段と、を備えたことを特徴とする帳票生成システムである。
【手続補正３】
【補正対象書類名】明細書
【補正対象項目名】００１９
【補正方法】変更
【補正の内容】
【００１９】
上記目的を達成するための第３の発明は、電子帳票を生成する帳票生成装置の制御方法であって、前記帳票生成装置は、前記電子帳票を生成するための帳票データを受付ける帳票データ受付工程と、前記帳票データ受付工程によって受付けた帳票データを世代ごとに記憶する帳票データ記憶工程と、元の電子帳票から新たな電子帳票を生成するための生成条件であって、当該新たな電子帳票に表示する過去の世代数を含む生成条件の設定を受付ける生成条件受付工程と、前記生成条件受付工程によって受付けた生成条件を記憶する生成条件記憶工程と、前記帳票データ受付工程によって受付けた新たな世代の帳票データが前記帳票データ記憶工程によって記憶されると、前記新たな世代から前記生成条件記憶工程によって記憶した過去の世代数前の帳票データについて、当該帳票データ記憶工程に記憶された帳票データを取得して前記新たな電子帳票を生成する新帳票生成工程と、を実行することを特徴とする帳票生成装置の制御方法である。
【手続補正４】
【補正対象書類名】明細書
【補正対象項目名】００２０
【補正方法】変更
【補正の内容】
【００２０】
上記目的を達成するための第４の発明は、クライアント装置と電子帳票を生成する帳票生成装置とがネットワークを介して接続された帳票生成システムの制御方法であって、前記クライアント装置は、元の電子帳票から新たな電子帳票を生成するための生成条件であって、当該新たな電子帳票に表示する過去の世代数を含む生成条件の設定を受付ける生成条件受付工程と、前記帳票生成装置の新帳票生成工程によって生成された新たな電子帳票を表示部へ表示する表示工程と、を実行し、前記帳票生成装置は、前記電子帳票を生成するための帳票データを受付ける帳票データ受付工程と、前記帳票データ受付工程によって受付けた帳票データを世代ごとに記憶する帳票データ記憶工程と、前記生成条件受付工程によって受付けた生成条件を記憶する生成条件記憶工程と、前記帳票データ受付工程によって受付けた新たな世代の帳票データが前記帳票データ記憶工程によって記憶されると、前記新たな世代から前記生成条件記憶工程によって記憶した過去の世代数前の帳票データについて、当該帳票データ記憶工程に記憶された帳票データを取得して前記新たな電子帳票を生成する新帳票生成工程と、を実行することを特徴とする帳票生成システムの制御方法である。
【手続補正５】
【補正対象書類名】明細書
【補正対象項目名】００２１
【補正方法】変更
【補正の内容】
【００２１】
上記目的を達成するための第５の発明は、電子帳票を生成する帳票生成装置において実行されるプログラムであって、前記帳票生成装置を、前記電子帳票を生成するための帳票データを受付ける帳票データ受付手段と、前記帳票データ受付手段によって受付けた帳票データを世代ごとに記憶する帳票データ記憶手段と、元の電子帳票から新たな電子帳票を生成するための生成条件であって、当該新たな電子帳票に表示する過去の世代数を含む生成条件の設定を受付ける生成条件受付手段と、前記生成条件受付手段によって受付けた生成条件を記憶する生成条件記憶手段と、前記帳票データ受付手段によって受付けた新たな世代の帳票データが前記帳票データ記憶手段によって記憶されると、前記新たな世代から前記生成条件記憶手段によって記憶した過去の世代数前の帳票データについて、当該帳票データ記憶手段に記憶された帳票データを取得して前記新たな電子帳票を生成する新帳票生成手段と、して機能させることを特徴とするプログラムである。
【手続補正６】
【補正対象書類名】明細書
【補正対象項目名】００２２
【補正方法】変更
【補正の内容】
【００２２】
上記目的を達成するための第６の発明は、電子帳票を生成する帳票生成装置において実行されるプログラムであって、前記帳票生成装置を、前記電子帳票を生成するための帳票データを受付ける帳票データ受付手段と、前記帳票データ受付手段によって受付けた帳票データを世代ごとに記憶する帳票データ記憶手段と、元の電子帳票から新たな電子帳票を生成するための生成条件であって、当該新たな電子帳票に表示する過去の世代数を含む生成条件の設定を受付ける生成条件受付手段と、前記生成条件受付手段によって受付けた生成条件を記憶する生成条件記憶手段と、前記帳票データ受付手段によって受付けた新たな世代の帳票データが前記帳票データ記憶手段によって記憶されると、前記新たな世代から前記生成条件記憶手段によって記憶した過去の世代数前の帳票データについて、当該帳票データ記憶手段に記憶された帳票データを取得して前記新たな電子帳票を生成する新帳票生成手段と、して機能させることを特徴とするプログラムである。
【手続補正７】
【補正対象書類名】特許請求の範囲
【補正対象項目名】全文
【補正方法】変更
【補正の内容】
【特許請求の範囲】
【請求項１】
電子帳票を生成する帳票生成装置であって、
前記電子帳票を生成するための帳票データを受付ける帳票データ受付手段と、
前記帳票データ受付手段によって受付けた帳票データを世代に関わる情報とともに記憶する帳票データ記憶手段と、
元の電子帳票から新たな電子帳票を生成する際に用いられる過去の世代数を含む生成条件の設定を受付ける生成条件受付手段と、
前記生成条件受付手段によって受付けた生成条件を記憶する生成条件記憶手段と、
前記帳票データ受付手段によって受付けた新たな世代の帳票データが前記帳票データ記憶手段によって記憶されると、前記新たな世代から前記生成条件記憶手段によって記憶した過去の世代数前の帳票データについて、前記帳票データ記憶手段に記憶された帳票データを取得して前記新たな電子帳票を生成する新帳票生成手段と、
を備えたことを特徴とする帳票生成装置。
【請求項２】
前記生成条件受付手段は、前記元の電子帳票の所定領域に対して前記生成条件の設定を受付け、
前記新帳票生成手段は、前記新たな世代から前記生成条件記憶手段に記憶した前記元の電子帳票の所定領域に対応する過去の世代数前の帳票データについて、前記帳票データ記憶手段に記憶された帳票データを取得して前記新たな電子帳票を生成することを特徴とする請求項１に記載の帳票生成装置。
【請求項３】
前記生成条件記憶手段は、前記新たな電子帳票の所定領域に対して添付された添付情報を含めて記憶し、
前記新帳票生成手段は、前記帳票データ受付手段によって受付けた新たな世代の帳票データが前記帳票データ記憶手段によって記憶されると、前記新たな世代から前記生成条件記憶手段によって記憶した過去の世代数前の帳票データについて、前記帳票データ記憶手段に記憶された帳票データを取得し、当該取得したデータに対して前記生成条件記憶手段によって記憶した所定領域に添付情報を添付して前記新たな電子帳票を生成する、
ことを特徴とする請求項２に記載の帳票生成装置。
【請求項４】
前記生成条件受付手段は、前記元の電子帳票の行に対して前記生成条件の設定を受付け、
前記新帳票生成手段は、前記新たな世代から前記生成条件記憶手段に記憶した前記元の電子帳票の行に対応する過去の世代数前の帳票データについて、前記帳票データ記憶手段に記憶された帳票データを取得して前記新たな電子帳票を生成することを特徴とする請求項１乃至３の何れか１項に記載の帳票生成装置。
【請求項５】
前記生成条件記憶手段は、前記新たな電子帳票の行に対して添付された添付情報を含めて記憶し、
前記新帳票生成手段は、前記帳票データ受付手段によって受付けた新たな世代の帳票データが前記帳票データ記憶手段によって記憶されると、前記新たな世代から前記生成条件記憶手段によって記憶した過去の世代数前の帳票データについて、前記帳票データ記憶手段に記憶された帳票データを取得し、当該取得した帳票データに対して前記生成条件記憶手段によって記憶した行に添付情報を添付して前記新たな電子帳票を生成することを特徴とする請求項１乃至４の何れか１項に記載の帳票生成装置。
【請求項６】
前記生成条件記憶手段に記憶した新たな電子帳票の所定領域に対応する前記元の電子帳票の領域へ前記添付情報を添付して当該元の電子帳票を生成する元帳票生成手段を備えたことを特徴とする請求項３乃至５の何れか１項に記載の帳票生成装置。
【請求項７】
表示部へ表示された元の電子帳票に対して新たな電子帳票の生成指示を受付ける生成指示受付手段と、
前記生成指示受付手段によって生成指示を受付けると前記表示部へ表示された元の電子帳票の世代を取得する取得手段と、
前記新帳票生成手段は、前記取得手段によって取得した世代から前記生成条件記憶手段によって記憶した世代数前の帳票データについて、前記帳票データ記憶手段に記憶された帳票データを取得して前記新たな電子帳票を生成することを特徴とする請求項１乃至６の何れか１項に記載の帳票生成装置。
【請求項８】
クライアント装置と電子帳票を生成する帳票生成装置とがネットワークを介して接続された帳票生成システムであって、
前記クライアント装置は、
元の電子帳票から新たな電子帳票を生成するための生成条件であって、当該新たな電子帳票に表示する過去の世代数を含む生成条件の設定を受付ける生成条件受付手段と、
前記帳票生成装置の新帳票生成手段によって生成された新たな電子帳票を表示部へ表示する表示手段と、
を備え、
前記帳票生成装置は、
前記電子帳票を生成するための帳票データを受付ける帳票データ受付手段と、
前記帳票データ受付手段によって受付けた帳票データを世代ごとに記憶する帳票データ記憶手段と、
前記生成条件受付手段によって受付けた生成条件を記憶する生成条件記憶手段と、
前記帳票データ受付手段によって受付けた新たな世代の帳票データが前記帳票データ記憶手段によって記憶されると、前記新たな世代から前記生成条件記憶手段によって記憶した過去の世代数前の帳票データについて、前記帳票データ記憶手段に記憶された帳票データを取得して前記新たな電子帳票を生成する新帳票生成手段と、
を備えたことを特徴とする帳票生成システム。
【請求項９】
電子帳票を生成する帳票生成装置の制御方法であって、
前記帳票生成装置は、
前記電子帳票を生成するための帳票データを受付ける帳票データ受付工程と、
前記帳票データ受付工程によって受付けた帳票データを世代ごとに記憶する帳票データ記憶工程と、
元の電子帳票から新たな電子帳票を生成するための生成条件であって、当該新たな電子帳票に表示する過去の世代数を含む生成条件の設定を受付ける生成条件受付工程と、
前記生成条件受付工程によって受付けた生成条件を記憶する生成条件記憶工程と、
前記帳票データ受付工程によって受付けた新たな世代の帳票データが前記帳票データ記憶工程によって記憶されると、前記新たな世代から前記生成条件記憶工程によって記憶した過去の世代数前の帳票データについて、当該帳票データ記憶工程に記憶された帳票データを取得して前記新たな電子帳票を生成する新帳票生成工程と、
を実行することを特徴とする帳票生成装置の制御方法。
【請求項１０】
クライアント装置と電子帳票を生成する帳票生成装置とがネットワークを介して接続された帳票生成システムの制御方法であって、
前記クライアント装置は、
元の電子帳票から新たな電子帳票を生成するための生成条件であって、当該新たな電子帳票に表示する過去の世代数を含む生成条件の設定を受付ける生成条件受付工程と、
前記帳票生成装置の新帳票生成工程によって生成された新たな電子帳票を表示部へ表示する表示工程と、
を実行し、
前記帳票生成装置は、
前記電子帳票を生成するための帳票データを受付ける帳票データ受付工程と、
前記帳票データ受付工程によって受付けた帳票データを世代ごとに記憶する帳票データ記憶工程と、
前記生成条件受付工程によって受付けた生成条件を記憶する生成条件記憶工程と、
前記帳票データ受付工程によって受付けた新たな世代の帳票データが前記帳票データ記憶工程によって記憶されると、前記新たな世代から前記生成条件記憶工程によって記憶した過去の世代数前の帳票データについて、当該帳票データ記憶工程に記憶された帳票データを取得して前記新たな電子帳票を生成する新帳票生成工程と、
を実行することを特徴とする帳票生成システムの制御方法。
【請求項１１】
電子帳票を生成する帳票生成装置において実行されるプログラムであって、
前記帳票生成装置を、
前記電子帳票を生成するための帳票データを受付ける帳票データ受付手段と、
前記帳票データ受付手段によって受付けた帳票データを世代ごとに記憶する帳票データ記憶手段と、
元の電子帳票から新たな電子帳票を生成するための生成条件であって、当該新たな電子帳票に表示する過去の世代数を含む生成条件の設定を受付ける生成条件受付手段と、
前記生成条件受付手段によって受付けた生成条件を記憶する生成条件記憶手段と、
前記帳票データ受付手段によって受付けた新たな世代の帳票データが前記帳票データ記憶手段によって記憶されると、前記新たな世代から前記生成条件記憶手段によって記憶した過去の世代数前の帳票データについて、当該帳票データ記憶手段に記憶された帳票データを取得して前記新たな電子帳票を生成する新帳票生成手段と、
して機能させることを特徴とするプログラム。
【請求項１２】
クライアント装置と電子帳票を生成する帳票生成装置とがネットワークを介して接続された帳票生成システムにおいて実行されるプログラムであって、
前記クライアント装置を、
元の電子帳票から新たな電子帳票を生成するための生成条件であって、当該新たな電子帳票に表示する過去の世代数を含む生成条件の設定を受付ける生成条件受付手段と、
前記帳票生成装置の新帳票生成手段によって生成された新たな電子帳票を表示部へ表示する表示手段と、
を備え、
前記帳票生成装置を、
前記電子帳票を生成するための帳票データを受付ける帳票データ受付手段と、
前記帳票データ受付手段によって受付けた帳票データを世代ごとに記憶する帳票データ記憶手段と、
前記生成条件受付手段によって受付けた生成条件を記憶する生成条件記憶手段と、
前記帳票データ受付手段によって受付けた新たな世代の帳票データが前記帳票データ記憶手段によって記憶されると、前記新たな世代から前記生成条件記憶手段によって記憶した過去の世代数前の帳票データについて、当該帳票データ記憶手段に記憶された帳票データを取得して前記新たな電子帳票を生成する新帳票生成手段と、
して機能させることを特徴とするプログラム。